(57)【要約】      （修正有）【課題】装飾機能に優れる食品用使い捨てカップを提供する。【解決手段】シート基材７が型成形されて形成される食品用使い捨てカップ１において、底部５の周囲から立ち上がる環状周壁部２の上縁に、環状鍔部６が連続一体に設けられてなることを特徴とする食品用使い捨てカップ。また、環状周壁部内部分におかず等の食品が納められて環状鍔部が食品に覆われないので、環状鍔部表面に装飾模様が設けられることで、その装飾模様が支障なく見える。【選択図】図１
0003147920.tif 000002
【実用新案登録請求の範囲】
【請求項１】
シート基材が型成形されて形成される食品用使い捨てカップにおいて、
底部の周囲から立ち上がる環状周壁部の上縁に、環状鍔部が連続一体に設けられてなることを特徴とする食品用使い捨てカップ。
【請求項２】
前記環状鍔部の傾斜角度を５０°以下とすることを特徴とする請求項１記載の食品用使い捨てカップ。
【請求項３】
前記環状鍔部の表面に装飾模様が付されてなることを特徴とする請求項１または２記載の食品用使い捨てカップ。
【考案の詳細な説明】
【技術分野】
【０００１】  この考案は、シート基材が型成形によりカップ形態とされたもので、弁当箱内におかずを区分けして入れるように用いたり、また、小さな菓子等を入れるように用いる食品用使い捨てカップに関する。
【背景技術】
【０００２】  この種食品用使い捨てカップは通常円形の底部の周囲から環状周壁部が連続一体に立ち上げられて構成されている。そして、弁当箱内において用いられた場合には、おかずを見栄え良く区分けし、また、おかず間やおかずからごはんへの味移りを防止している。
【考案の開示】
【考案が解決しようとする課題】
【０００３】  しかしながら、現状の食品用使い捨てカップは装飾機能を積極的に発揮するものではない。最近では食品用使い捨てカップとして表面に装飾模様が付された意匠性の高いものも提供されているが、おかずが入れられた場合はその装飾模様のほとんどがおかずに隠れてしまい、環状周壁部の上縁のみが見える状態となる。【０００４】  この考案は上記の事情に鑑みて行ったもので、装飾機能に優れる食品用使い捨てカップを提供することを目的とする。【０００５】  この考案では、シート基材が型成形されて形成される食品用使い捨てカップにおいて、底部の周囲から立ち上がる環状周壁部の上縁に、環状鍔部が連続一体に設けられてなることを特徴とする食品用使い捨てカップを提供する。【０００６】  この考案の食品用使い捨てカップによれば、環状周壁部内部分におかず等の食品が納められて環状鍔部が食品に覆われないので、環状鍔部表面に装飾模様が設けられることで、その装飾模様が支障なく見える。【０００７】  例えば、環状周壁部の傾斜角度は従来一般の使い捨てカップと同様に６０〜８０°とされ、環状鍔部の傾斜角度は５０°以下とされることで使用時に装飾模様が見やすく位置する。また、弁当箱内等における配置スペースが小さい場合は環状鍔部の傾斜角度が大きいものが、配置スペースに余裕がある場合は環状鍔部の傾斜角度が小さいものがそれぞれ好適に用いられる。なお、基材シートとしては、紙シート、プラスチックシート、アルミ箔シート、また、それらの積層シート等の適宜のシートが使用できる。【０００８】  この考案の食品用使い捨てカップは、見栄えをよくし、また、装飾性を高める点において子供用や女性用のお弁当、また、持ち帰り用ランチ等に好適に使用される。さらに、菓子用のカップやパーティー用のカップとしても、装飾性に優れることで従来のものに比してより好適に用いられる。
【考案の効果】
【０００９】  この考案によれば、装飾性に優れ、弁当箱内のおかず入れカップやパーティー用食品カップ等として好適に用いられる食品用使い捨てカップが得られる。
【考案を実施するための最良の形態】
【００１０】  図１はこの考案の食品用使い捨てカップの実施形態の外観斜視図、図２は同簡略断面構成図である。食品用使い捨てカップ１は、縦方向に複数本の折り込み部３が並設されたロート状にひらく環状周壁部２と、その上縁に連続一体に設けられる折り込み部４が並設されさらにロート状にひらく環状鍔部６と、環状周壁部２の下部に連続一体の略円形の底部５とからなり、全体が一枚の円形の基材シート７よりなる。【００１１】  上記環状周壁部２と環状鍔部６との傾斜角度Ｘ、Ｙそれぞれは７０°、５０°とされ、それぞれは折れ曲がり部１９を介して連続している。【００１２】  上記使い捨てカップ１の製造は、多数枚重ねられた基材シート７が型内に納められ加熱成形されることで行われる。上記基材シート７としては、図３の断面図に示すように、外面に印刷層１１が付された１２μ厚さ程度の内側ＰＥＴ樹脂フィルム８の外面に、外面に帯電防止剤よりなるコーティング層２０が付された１２μ厚さ程度の外側ＰＥＴ樹脂フィルム９が、接着剤１０により貼り付けられたものが用いられている。印刷層１１は装飾模様Ｍを持ち、その装飾模様Ｍは使い捨てカップ１となった際に環状周壁部２表面の途中部から環状鍔部６の全体表面に及ぶように設けられている。【００１３】  上記印刷層１１は内側ＰＥＴ樹脂フィルム８に完全に覆われることで、食品用使い捨てカップ１内に入れた食品に接触することはない。また、この食品用使い捨てカップ１は、２枚のＰＥＴ樹脂フィルム８、９が積層された基材シート７よりなることで、冷凍庫、オーブンレンジ内での使用が支障なく行える。【００１４】  上記食品用使い捨てカップ１は環状周壁部２内部分におかず等の食品が納められ、例えば弁当箱内等に配置使用される。その際環状鍔部６が食品に覆われないことで、その表面の装飾模様Ｍが見える。これにより弁当箱内の装飾性が高められておかずが見栄え良くなり、その結果、楽しく食事ができ、また、食欲も増進される。【００１５】  図４、図５のそれぞれは他の実施形態それぞれを示す簡略断面図であり、このものでは環状鍔部６の傾斜角度Ｙそれぞれを３０°、０°度としている。【００１６】  重ね状態の上記食品用使い捨てカップ１において１個のものを取り外す際、従来のもの（帯電防止剤を混入しない２枚のＰＥＴ樹脂フィルムを重ね形成したもの）に比して、食品用使い捨てカップ１どうしの密着がほとんどなかった。また、取り外した食品用使い捨てカップ１が手に吸着することもほとんどなかった。さらに、食品用使い捨てカップ１への埃等の付着もほとんどなかった。これらは、外側ＰＥＴ樹脂フィルム９が、帯電防止剤よりなるコーティング層２０を備えることで静電気にほとんど帯電していないことに起因すると考えられる。
【図面の簡単な説明】
【００１７】
【図１】  この考案の食品用使い捨てカップの実施形態の外観斜視図
【図２】  この考案の食品用使い捨てカップの実施形態の簡略断面図
【図３】  この考案の食品用使い捨てカップの実施形態の部分拡大断面図
【図４】  この考案の食品用使い捨てカップの他の実施形態の簡略断面図
【図５】  この考案の食品用使い捨てカップのさらに他の実施形態の簡略断面図
【符号の説明】
【００１８】１    食品用使い捨てカップ
２    環状周壁部
６    環状鍔部
７    基材シート
Ｍ    装飾模様
【図１】
0003147920.tif 000003
【図２】
0003147920.tif 000004
【図３】
0003147920.tif 000005
【図４】
0003147920.tif 000006
【図５】
0003147920.tif 000007